(57)【特許請求の範囲】
【請求項１】
通信対象と電磁界を介して無線通信を行う電子機器であって、
前記無線通信を行う際に前記通信対象に対向配置される所定面を有する筐体と、
前記所定面の内側面と対向するように前記筐体に収納される金属部材と、
前記内側面と対向しかつ前記金属部材を周回するように配置されるアンテナと、
該アンテナと接続される通信部と、
前記内側面と前記金属部材との間に設けられ、かつ前記金属部材と前記アンテナとの間へ向かって延びる磁性部材と、
を有することを特徴とする電子機器。
【請求項２】
通信対象と電磁界を介して無線通信を行う電子機器であって、
前記無線通信を行う際に前記通信対象に対向配置される所定面を有する筐体と、
前記所定面の内側面と対向するように前記筐体に収納される金属部材と、
前記内側面と対向しかつ前記金属部材を周回するように配置されるアンテナと、
該アンテナと接続される通信部と、
少なくとも一部が前記内側面と前記金属部材との間に設けられ、前記通信対象からの磁束を前記アンテナの開口に導く磁性部材と、
を有することを特徴とする電子機器。
【請求項３】
前記金属部材は、前記内側面と対向する第１面と、該第１面に隣接する第２面とを有し、
前記磁性部材は、前記第１面を覆うと共に前記第２面の少なくとも一部を覆うように配置されている
ことを特徴とする請求項１または２に記載の電子機器。
【請求項４】
前記筐体は、前記内側面から前記アンテナと前記金属部材との間へ延びるリブを有し、
前記磁性部材は、前記内側面を覆うと共に前記リブの少なくとも一部を覆うように配置されている
ことを特徴とする請求項１または２に記載の電子機器。
【請求項５】
前記磁性部材は、前記内側面と前記金属部材との間に設けられる部分から前記アンテナの開口を通過するように延設されている
ことを特徴とする請求項１乃至４のいずれか１項に記載の電子機器。
【請求項６】
前記アンテナは前記筐体に固定してある
ことを特徴とする請求項１乃至５のいずれか１項に記載の電子機器。
【請求項７】
前記アンテナは、前記金属部材の周囲を複数回周回させた線材からなるループアンテナであって、
前記線材は、前記内側面から離れる方向に並設してある
ことを特徴とする請求項１乃至６のいずれか１項に記載の電子機器。
【請求項８】
前記金属部材はバッテリーである
ことを特徴とする請求項１乃至７のいずれか１項に記載の電子機器。
【発明の詳細な説明】
【技術分野】
【０００１】
本発明は、電磁界を利用した無線通信機能を有する携帯電話機、ＰＤＡ（Ｐｅｒｓｏｎａｌ  Ｄｉｇｉｔａｌ  Ａｓｓｉｓｔａｎｔ）、デジタルカメラ等の電子機器に関する。
【背景技術】
【０００２】
携帯電話機等の電子機器において、非接触型ＩＣカードと同様の機能を付加されたものが知られている。すなわち、このような電子機器は、ループアンテナと、ループアンテナに接続されたＩＣモジュールとを有し、ループアンテナとリーダライタのアンテナとが誘導結合されることにより、リーダライタによるＩＣモジュールからの情報の読み出しやＩＣモジュールへの情報の書き込みが行われる。
【０００３】
特許文献１では、筐体の背面側に設けられた電池収納部と、電池収納部を覆う電池カバーに設けられた近接無線通信用のループアンテナ（アンテナコイル）とを有する携帯電話機が開示されている。この携帯電話機では、電池カバーの外側面をリーダライタに対向させることによりループアンテナをリーダライタに対向させて近接無線通信が行われる。しかし、リーダライタから見て、ループアンテナの背後にはバッテリーが配置されていることから、リーダライタにより印加された通信用の磁界によりバッテリーに含まれる金属に渦電流が発生し、渦電流により通信用の磁界を打ち消す逆磁界が形成され、通信精度が劣化する。
【０００４】
特許文献１の技術では、バッテリーとループアンテナとの間に、ループアンテナの面積よりも広い面積を有する磁性シートを配置して通信精度の劣化を抑制している。なお、磁性シートは、主として、通信用の磁界からバッテリーをシールドすることによる渦電流の発生抑止に寄与しているものと考えられる。
【特許文献１】特開２００４−２２７０４６号公報
【発明の開示】
【発明が解決しようとする課題】
【０００５】
特許文献１の技術では、アンテナコイル、磁性シート及びバッテリーが背面側から順に積層される構成であることから、これらを積層的に収納するスペースを筐体に確保しなければならず、当該積層方向において筐体の薄型化を図ることができない。
【０００６】
本発明の目的は、電磁界を用いて無線通信を安定して行うことが可能であるとともに筐体の小型化が可能な電子機器を提供することにある。
【課題を解決するための手段】
【０００７】
本発明の電子機器は、通信対象と電磁界を介して無線通信を行う電子機器であって、前記無線通信を行う際に前記通信対象に対向配置される所定面を有する筐体と、前記所定面の内側面と対向するように前記筐体に収納される金属部材と、前記内側面と対向しかつ前記金属部材を周回するように配置されるアンテナと、該アンテナと接続される通信部と、前記内側面と前記金属部材との間に設けられ、かつ前記金属部材と前記アンテナとの間へ向かって延びる磁性部材と、を有する。
【０００８】
好適には、前記金属部材は、前記内側面と対向する第１面と、該第１面に隣接する第２面とを有し、前記磁性部材は、前記第１面を覆うと共に前記第２面の少なくとも一部を覆うように配置されている。
【０００９】
好適には、前記筐体は、前記内側面に前記アンテナと前記金属部材との間へ延びるリブを有し、前記磁性部材は、前記内側面を覆うと共に前記リブの少なくとも一部を覆うように配置されている。
【００１０】
好適には、前記磁性部材のうち前記金属部材と前記アンテナとの間へ向かって延びる部位は、前記アンテナの位置を越える位置まで延設されている。
【００１１】
好適には、前記アンテナは前記筐体に固定してある。
【００１２】
好適には、前記アンテナは、前記金属部材の周囲を複数回周回させた線材からなるループアンテナであって、前記線材は、前記内側面から離れる方向に並設してある。
【００１３】
好適には、前記金属部材はバッテリーである。
【発明の効果】
【００１４】
本発明によれば、電磁界を用いた無線通信を安定して行うことができ、かつ、電子機器の小型化が可能である。
【発明を実施するための最良の形態】
【００１５】
図１は、本発明の実施形態に係る携帯電話機１の外観を開状態で示す斜視図である。携帯電話機１は、いわゆる折り畳み式の携帯電話機として構成されており、開状態と閉状態との間で互いに回動可能に連結された受話筐体２及び送話筐体３を備えている。受話筐体２及び送話筐体３は、それぞれの端部が回動の中心となる連結部４により連結されることにより携帯電話機１全体の筐体を構成するようになっている。受話筐体２及び送話筐体３は、それぞれ概ね薄型直方体状に形成されており、閉状態では互いに重ねあわされて互いの輪郭が略一致し、全体として概ね直方体状となる。
【００１６】
受話筐体２には、例えば、通話用のスピーカ６６（図４参照）、画像や文字を表示する表示部６が設けられている。送話筐体３には、例えば、通話用のマイクロフォン６７（図４参照）、ユーザの操作を受け付ける複数のキーから構成された操作部７、報知用のスピーカ６８（図４参照）が設けられている。なお、６６ａはスピーカ６６より出力された音を放音するための放音口であり、６７ａはマイクロフォン６７に入力される音を集音するための集音口である。
【００１７】
送話筐体３は、閉状態で受話筐体２に対向する面側のフロントケース２１と、その背面側のリアケース２２と、リアケース２２の背面側に被せられる蓋体２３とを備えている。フロントケース２１、リアケース２２及び蓋体２３は、例えば非導電性及び非磁性の樹脂により形成されている。
【００１８】
図２は、送話筐体３の一部の分解斜視図である。図２において、紙面上方側が送話筐体３のうち閉状態にて受話筐体２に対向する側（図１の紙面手前側）である。
【００１９】
フロントケース２１（図２では不図示）及びリアケース２２の間には、回路基板２５と、電磁誘導を利用した近接無線通信を行うためのアンテナ２６とが積層的に配置されている。また、リアケース２２の開口と蓋体２３とで形成される空間には、バッテリー（バッテリーパック）２７と、磁性シート２８とが積層的に配置されている。
【００２０】
回路基板２５は、例えば樹脂をベースとしたプリント配線基板により構成されており、種々の電子部品が実装され、種々の電気回路が構成されている。例えば、電波を利用した遠距離無線通信を行うための通信処理部６３（図４参照）、操作部７等の各部からの電気信号に基づいて表示部６等の各部の動作を制御するＣＰＵ６１（図４参照）が設けられている。また、回路基板２５には、電磁誘導を利用した近接無線通信を行う通信部を構成するＩＣモジュール２９が設けられている。
【００２１】
なお、回路基板２５のフロントケース２１側には、特に図示しないが、回路基板２５側から順に、種々の電子部品をシールドするために回路基板２５上に実装されたシールドケース、操作部７のキーに対応する複数の押圧スイッチが配置されたフレキシブルプリント配線板、及び、操作部７のキーが配置されたキーシートが積層されている。
【００２２】
アンテナ２６は、いわゆるループアンテナにより構成されており、蓋体２３の内側面に対向する矩形状のループを形成する線材３１（図３（ａ）参照。なお、図２では、線材３１によって形成される複数のループの集合体を抽象的に図示している。）と、線材３１の端部に設けられた端子３２とを備えている。端子３２は、送話筐体３が組み立てられたときに、回路基板２５のリアケース２２に対向する実装面に設けられた不図示の端子に当接し、アンテナ２６とＩＣモジュール２９とを電気的に接続する。
【００２３】
リアケース２２には、背面側に開口する開口部３４が形成され、開口部３４の縁部には、回路基板２５側へ突出するリブ３５が開口部３４を囲むように形成されている。回路基板２５及びリブ３５により、バッテリー２７を収納可能な凹状のバッテリー収納部３６（図３（ｂ）参照）が形成される。バッテリー収納部３６の形状及び大きさは、バッテリー２７と同様の形状及び同程度の大きさであり、バッテリー２７は、バッテリー収納部３６に嵌合する。
【００２４】
バッテリー２７は、例えば、リチウムイオン電池により構成された二次電池であり、リチウムを含む正極と炭素を含む負極とをセパレータを挟んで積層したものを金属ケース内に挿入したバッテリーセルと、該バッテリーセルの一面に配置されると共に、前記バッテリーセルの正極端子及び負極端子とそれぞれ接続され、かつコネクタや保護回路等を備えた回路基板と、該回路基板を覆って前記バッテリーセルに一体的に形成された樹脂モールド部とから構成されている。なお、バッテリー２７としては、上述したものだけに限定されるものではなく、樹脂ケース内に前記バッテリーセルと前記回路基板を収納したものでも構わない。
【００２５】
バッテリー２７の外形は、概ね直方体状に形成されている。具体的には、バッテリー２７は、リアケース２２や蓋体２３の積層方向に薄く、また、送話筐体３の長手方向にやや長い薄型直方体状であり、蓋体２３の内側面に対向する背面２７ａや背面２７ａに直交する側面２７ｂを有している。バッテリー２７のうち、長手方向において連結部４とは反対側（図２の紙面左側）の端部には、端子３８が設けられている。端子３８は、バッテリー２７をバッテリー収納部３６に収納したときに、リブ３５の切り欠き部３５ａを介して、回路基板２５と電気的に接続された不図示の端子に当接し、バッテリー２７から回路基板２５への電力供給を可能とする。
【００２６】
磁性シート２８は、透磁率の比較的高い磁性体を含んで構成されている。例えば、磁性粉末を含んだゴムや樹脂により構成されており、可撓性を有している。磁性体は、例えば、フェライト、珪素鋼、センダスト合金、Ｆｅ−Ａｌ合金、電磁軟鉄、カルボニル鉄、アモルファス合金、パーマロイである。磁性シート２８は、例えば略矩形状に形成されている。磁性シート２８は、接着剤などの適宜な固定手段によりバッテリー２７に貼り付けられる。
【００２７】
蓋体２３は、送話筐体３の背面３ａの一部を構成する概ね平板状の板状部２３ａを有している。板状部２３ａは、バッテリー収納部３６に嵌合するように形成されており、バッテリー収納部３６を覆ってリアケース２２に被せられる。蓋体２３は、係合爪がリアケース２２に係合することによりリアケース２２に対して固定される。
【００２８】
図３（ａ）は、バッテリー２７及びアンテナ２６の位置関係を概念的に示す平面図（図２の紙面下方から見た図）であり、図３（ａ）は、図３（ａ）のＩＩＩｂ−ＩＩＩｂ線矢視方向の断面図である。
【００２９】
図２、図３（ａ）及び図３（ｂ）に示すように、アンテナ２６の線材３１は、バッテリー収納部３６を形成するリブ３５の外周を囲むようにリブ３５を周回しており、ひいては、バッテリー２７を周回している。従って、図３（ｂ）に示すように、アンテナ２６はバッテリー２７の厚みの範囲内に位置し、アンテナ２６のループ内周部と、バッテリー２７の外周面（側面２７ｂを含む）とは対向している。なお、図３（ａ）及び図３（ｂ）では、線材３１がバッテリー２７を３周するように配置されている場合を例示しているが、周回する回数は１以上の適宜な数としてよい。
【００３０】
図２に示すように、磁性シート２８は、バッテリー２７の長手方向（側面２７ｂに沿う方向）において、バッテリー２７の蓋体２３側の背面２７ａと同等の大きさであり、また、バッテリー２７の短手方向において、背面２７ａよりも若干大きい。従って、磁性シート２８がバッテリー２７に貼り付けられると、磁性シート２８は、背面２７ａ全面を覆うとともに、側面２７ｂの一部を覆う。磁性シート２８のうち側面２７ｂを覆う部分は、蓋体２３とは反対側へ、アンテナ２６の配置位置を越える位置まで延びている。
【００３１】
図４は、携帯電話機１の信号処理系の構成を示すブロック図である。なお、図４において、各ブロックを繋ぐ実線は情報を含む信号の経路を示し、各ブロックを繋ぐ点線は電力供給の経路を示している。
【００３２】
携帯電話機１は、電話機やデジタルカメラとして機能する主機能部５１と、非接触ＩＣカードとして機能する非接触ＩＣ部５２とを備えている。主機能部５１及び非接触ＩＣ部５２へはバッテリー２７から電力が供給される。また、主機能部５１と非接触ＩＣ部５２との間では、シリアル通信にて信号の送受信が行われるようになっている。
【００３３】
主機能部５１は、ＣＰＵ６１、メモリ６２、通信処理部６３、音響処理部６５及び画像処理部６９を備えている。これら各部は例えばＩＣにより構成されている。
【００３４】
ＣＰＵ６１及びメモリ６２は、操作部７等の各種手段からの信号に基づいて所定の演算を行い、画像処理部６９等の各種手段の制御を実行する制御部として機能する。
【００３５】
通信処理部６３は、高周波回路を含んで構成され、電波を利用した遠距離無線通信を行うために、ＣＰＵ６１で処理された音響データ、画像データ等の各種データを変調して、アンテナ６４を介して送信する。また、通信処理部６３は、アンテナ６４を介して受信した信号を復調してＣＰＵ６１に出力する。
【００３６】
音響処理部６５は、ＣＰＵ６１からの音響データを音響信号に変換して通話用のスピーカ６６、着信等を報知するためのスピーカ６８に出力する。又、音響処理部６５は、マイクロフォン６７からの音響信号を音響データに変換してＣＰＵ６１に出力する。
【００３７】
画像処理部６９は、ＣＰＵ６１からの画像データを画像信号に変換して表示部６に出力する。また、カメラモジュール７０から出力される撮像信号（画像データ）を所定のフォーマットの画像データに変換してＣＰＵ６１へ出力する。あるいは、カメラモジュール７０から出力される撮像信号を画像信号に変換して表示部６に出力する。
【００３８】
非接触ＩＣ部５２は、電源回路７２、ＲＦ回路７３、ＣＰＵ７４及びメモリ７５を備えている。これら各部は例えばＩＣにより構成されている。
【００３９】
また、バッテリー２７より供給された電力は、電源回路７２を介してＲＦ回路７３、ＣＰＵ７４及びメモリ７５に供給される。
【００４０】
ＲＦ回路７３は、アンテナ２６の開口２６ａを通過する磁束の変化によって生じ、種々の情報を含む電気信号を復調してＣＰＵ７４に出力する。また、ＲＦ回路７３は、ＣＰＵ７４からの種々の情報を含む電気信号を変調してアンテナ２６に出力し、アンテナ２６に電気信号に応じた磁界を形成させる。
【００４１】
ＣＰＵ７４やメモリ７５は、種々の情報の保持、読み出し、書き込み（更新）を行う。具体的には以下のとおりである。メモリ７５は、特に図示しないが、ＲＯＭ、ＲＡＭ、ＥＥＰＲＯＭを含んで構成されている。ＣＰＵ７４は、メモリ７５のＲＯＭに記憶されたプログラムを実行することにより、メモリ７５のＥＥＰＲＯＭに保持される情報を管理する制御部として機能する。すなわち、ＣＰＵ７４は、ＲＦ回路７３から出力される信号に基づいて、メモリ７５のＥＥＰＲＯＭに保持されている情報の読み出し及びＲＦ回路７３への出力と、メモリ７５のＥＥＰＲＯＭに保持されている情報の更新を行う。
【００４２】
メモリ７５のＥＥＰＲＯＭに保持される情報は、例えば、非接触ＩＣ部５２がデビットカードとして機能するように構成された場合にはチャージした金額であり、非接触ＩＣ部５２が交通機関の定期券として機能するように構成された場合には利用可能期間や利用可能区間である。
【００４３】
以上の構成を有する携帯電話機１は、送話筐体３の背面３ａを、リーダライタに対向させて近接されたときに、リーダライタによって印加される電磁界を利用して無線通信を行う。
【００４４】
図５は、携帯電話機において電磁誘導を利用した近接無線通信を行うときの当該通信に係る磁界の様子を説明する概念図であり、図５（ａ）は比較例における磁界を、図５（ｂ）は本実施形態における磁界を示している。図５において、紙面上方側が蓋体２３側、すなわち、リーダライタＲＷに対向する側である。
【００４５】
特許文献１に開示されているような、アンテナと、磁性シートと、バッテリーとを順に積層する携帯電話機では、磁性シートにより、リーダライタＲＷによって印加される磁界からバッテリーをシールドし、バッテリーにおける渦電流の発生を抑止している。
【００４６】
そこで、図５（ａ）の比較例のように、アンテナ２６の開口２６ａにバッテリー２７が挿入されている携帯電話機においても、バッテリー２７をリーダライタＲＷによって印加される磁界からシールドするように、磁性シート２８′を、バッテリー２７のうちリーダライタＲＷに対向する背面２７ａに配置することが考えられる。
【００４７】
この場合、背面２７ａに対して直交する方向に進む磁力線ｙ１は、磁性シート２８′の中を磁性シート２８′に沿って進む。従って、バッテリー２７はリーダライタＲＷによって印加される磁界からシールドされ、バッテリー２７における渦電流の発生は抑止され、ひいては、リーダライタＲＷによって印加される磁界を打ち消す逆磁界の発生も抑止される。しかし、その一方で、アンテナ２６の開口２６ａに向かった磁束を遮断することにもなるから、開口２６ａを通過する磁束も減じられてしまい、通信が安定しなくなる。なお、特許文献１の技術では、リーダライタから見て磁性シートの手前にアンテナが配置されているから、このような問題は生じない。
【００４８】
しかし、図５（ｂ）に示すように、本実施形態の携帯電話機１では、磁性シート２８は、背面２７ａを覆うとともに、開口２６ａを通過するように延びていることから、磁性シート２８の中を磁性シート２８に沿って進む磁力線ｙ３は、開口２６ａを通過することになる。すなわち、バッテリー２７の背面２７ａに向かう磁束は、バッテリー２７を避けつつ開口２６ａに向かうことになる。従って、バッテリー２７における渦電流の発生を抑止して逆磁界の発生を抑止しつつ、アンテナ２６を通過する磁束を十分に確保して通信を安定して行うことができる。しかも、アンテナ２６をバッテリー２７の近傍に配置しても通信を行うことができる。
【００４９】
そして、携帯電話機１では、アンテナ２６が、蓋体２３の内側面に対向するループを形成するようにバッテリー２７を周回する線材３１により形成されているから、換言すれば、アンテナ２６とバッテリー２７とは積層されていないから、従来のアンテナと、磁性シートと、バッテリーとを順に積層する構造に比べて筐体の薄型化を図ることができる。
【００５０】
なお、以上の実施形態において、携帯電話機１は本発明の電子機器の一例であり、リーダライタＲＷは本発明の通信対象の一例であり、送話筐体３は本発明の筐体の一例であり、送話筐体３の背面３ａは、本発明の通信対象に対向配置される所定面の一例であり、アンテナ２６は本発明のループアンテナの一例であり、ＩＣモジュール２９は本発明の通信部の一例であり、バッテリー２７の背面２７ａは本発明の第１面の一例であり、バッテリー２７の側面２７ｂは本発明の第２面の一例である。
【００５１】
本発明は以上の実施形態に限定されず、種々の態様で実施してよい。
【００５２】
図６（ａ）〜（ｅ）は、バッテリー、アンテナ、磁性シート、及び、これらの配置の変形例を示している。図６（ａ）〜（ｅ）は、図３（ｂ）と同様の方向に見た断面図である。ただし、蓋体２３やリブ３５等は図示を省略している。図６（ａ）〜（ｅ）において、上述の実施形態と同様の構成については同一符号を付している。
【００５３】
図６（ａ）は、アンテナの変形例を示している。アンテナ１０１は、複数のループが、バッテリー２７及び蓋体２３の対向方向（紙面上下方向）に積層されるように、すなわち、同軸的に配置されるように、導体１０２がバッテリー２７を螺旋状に周回して構成されている。この変形例においても、磁性シート２８は、バッテリー２７の背面２７ａに向かう磁束を、バッテリー２７を避けるようにアンテナ１０１の開口１０１ａに導き、通信を安定させる。さらに、この変形例では、線材３１を同心状に周回させたアンテナ２６に比較して、アンテナ１０１の径を小さくすることができ、ひいては、携帯電話機１のバッテリー２７の背面２７ａに沿う方向における小型化を図ることができる。
【００５４】
図６（ｂ）は、磁性シートの変形例を示している。磁性シート１１１は、バッテリー２７の背面２７ａから側面２７ｂに延び、さらに、背面２７ａの反対側の正面２７ｃまで延び、正面２７ｃを覆っている。この変形例においても、磁性シート１１１は、バッテリー２７の背面２７ａに向かう磁束を、バッテリー２７を避けるようにアンテナ２６の開口２６ａに導き、通信を安定させる。なお、この変形例では、バッテリー２７の正面２７ｃに向かう磁束もバッテリー２７を避けつつ開口２６ａに導くことができるから、例えば、筐体の正面及び背面のいずれをリーダライタに対向させても通信が可能な電子機器に有効である。
【００５５】
図６（ｃ）は、磁性シートの変形例を示している。磁性シート１２１は、バッテリー２７の背面２７ａから側面２７ｂへ延びる部分が、アンテナ２６の位置（アンテナ２６のループの配置平面の位置）を越える位置まで延びていない。この変形例においても、図５（ａ）に示したような、背面２７ａのみを覆うように磁性シート２８′を配置した場合に比較して、背面２７ａに向かう磁束はバッテリー２７を避けるように開口２６ａに導かれるから、通信を安定させることができる。
【００５６】
この変形例に示されるように、磁性シートは、筐体の内側面に対向するように前記内側面とバッテリーとの間に広がるとともに、前記内側面と前記バッテリーとの間から前記バッテリーとループアンテナとの間へ向かって延びていればよく、アンテナ位置まで延びている必要はない。なお、図６（ｃ）のように、バッテリーが直方体状であるなど、筐体の内側面に対向する第１面（背面２７ａ）と、当該面に略直交する第２面（側面２７ｂ）とを有している場合、磁性シートが第１面と第２面との稜線を超えて前記内側面とは反対側へ延びているか否かにより、磁性シートがバッテリーとループアンテナとの間へ向かって延びているか否かを明確に判定することができる。
【００５７】
図６（ｄ）は、磁性シート及び蓋体の変形例である。磁性シート１３１は、バッテリー２７ではなく、蓋体１３２に接着剤などの固定手段により固定されている。蓋体１３２の内側面１３２ａには、バッテリー２７の側面２７ｂに対向するように突出するリブ１３２ｂが設けられている。磁性シート１３１は、蓋体１３２の内側面１３２ａからリブ１３２ｂに亘って設けられることにより、バッテリー２７の背面２７ａを覆うとともに、バッテリー２７とアンテナ２６との間まで延びている。この変形例においても、背面２７ａに向かう磁束はバッテリー２７を避けつつ開口２６ａに導かれるから、通信を安定させることができる。
【００５８】
この変形例に示されるように、磁性シートは、筐体の内側面とバッテリーとの間に広がるとともに、前記内側面と前記バッテリーとの間から前記バッテリーとループアンテナとの間へ向かって延びるように配置できれば、バッテリー、筐体、ループアンテナ等のあらゆる部材に対して固定してよい。
【００５９】
なお、この変形例のように、筐体のうちバッテリーとの対向面だけでなく、バッテリーとループアンテナとの間に突出するリブにまで磁性シートが設けられていれば、磁性シートがアンテナ位置まで延びていないような場合でも、磁性シートがバッテリーとループアンテナとの間に向かっていると判定することができる。
【００６０】
図６（ｅ）は、バッテリーの変形例を示している。バッテリー１４１は、全体として概ね円柱形に形成されており、外周面１４１ａのうち一部を蓋体２３（紙面上方側）に向けて配置されている。磁性シート１４２は外周面１４１ａに配置され、アンテナ位置まで延びている。この変形例においても、バッテリー１４１に向かう磁束はバッテリー１４１を避けつつ開口２６ａに導かれるから、通信を安定させることができる。
【００６１】
本発明が適用される電子機器は、バッテリーを備えるとともに、電磁誘導を利用した近接無線通信を行うものであればよく、携帯電話機に限定されない。例えば、デジタルカメラ、ノートパソコンであってもよい。
【００６２】
電子機器に設けられる通信部は、ループアンテナを介した通信を行うものであればよく、リーダライタを通信対象とする非接触ＩＣカードの機能を有するものに限定されない。例えば、通信部は、通信対象としての非接触ＩＣカードの情報を読み出し、更新するリーダライタであってもよい。非接触ＩＣカードの機能を有する場合であっても、非接触ＩＣカードのように、ループアンテナを電力源とすることは、本発明の通信部の必須の要件ではない。
【００６３】
ループアンテナは、線材がバッテリーを周回してループを構成するものであればよく、導電性の線材を所定の芯部材（例えば実施形態のリブ３５）に巻き付けることにより形成されていてもよいし、フレキシブルプリント配線板等の基板に導電性のパターンがループ状にプリントされることにより形成されていてもよい。複数のループをそれぞれ形成する導体が互いに撚り合わされていてもよい。複数の導体により複数のループが形成されていてもよい。
【００６４】
磁性シートは、バッテリーと筐体との間等に配置可能なものであればよく、可撓性を有していても有していなくてもよいし、厚さも均等でなくてもよい。例えば、剛体の板状の磁性体であってもよい。また、本実施形態では、磁性シートをバッテリー２７の背面２７ａ及び長手方向の側面２７ｂに形成した例を示したが、長手方向の側面２７ｂに延ばす代わりに短手方向の側面２７ｂに形成してもよく、さらに、長手方向及び短手方向の両側面２７ｂに形成してもよい。
【００６５】
さらに、ループアンテナ２６の開口２６ａに配置される金属部材がバッテリーである例について示したが、これだけに限定されず、シールドケースや表示装置等の金属部材が配置されるような場合にも適用できることは言うまでもない。
【図面の簡単な説明】
【００６６】
【図１】本発明の実施形態の携帯電話機を開状態で示す外観斜視図。
【図２】図１の携帯電話機の送話筐体の一部の分解斜視図。
【図３】図１の携帯電話機のバッテリー及びアンテナの位置関係を説明する図。
【図４】図１の携帯電話機の信号処理系の構成を示すブロック図。
【図５】図１の携帯電話機において近接無線通信を行うときの磁界の様子を説明する概念図。
【図６】本発明の携帯電話機の変形例を説明する図。
【符号の説明】
【００６７】
１…携帯電話機（電子機器）、３…送話筐体、２７…バッテリー、２６…ループアンテナ（アンテナ）、２８…磁性シート（磁性部材）、２９…ＩＣモジュール（通信部）、３１…線材。
【図１】
0004722774.tif 000002
【図２】
0004722774.tif 000003
【図３】
0004722774.tif 000004
【図４】
0004722774.tif 000005
【図５】
0004722774.tif 000006
【図６】
0004722774.tif 000007